(57)【要約】【課題】商品のパッケージの作成において、その形状を考慮した支援を行い、作成者におけるパッケージ作成の労力を軽減し得る、パッケージ作成支援装置、パッケージ作成支援方法、及びプログラムを提供する【解決手段】パッケージ作成支援装置１は、商品のパッケージの形状に応じてパッケージの元となる版下原稿の形状を決定し、版下原稿の形状に対応した領域を表示画面に表示させるデータを作成する領域表示データ作成部３と、タイトル情報を領域内に表示させるデータを作成するタイトル情報データ作成部４と、商品の種類毎に登録された、パッケージへの記載が必須となる必須事項のうちの、パッケージが作成される商品の種類に対応している必須事項を領域内に表示させるデータを作成する必須事項データ作成部５と、タイトル情報及び必須事項が表示された領域を特定するデータを版下原稿として出力するデータ出力部８とを備えている。【選択図】図１
2010266924.tif 000002
【特許請求の範囲】
【請求項１】
商品のパッケージの作成を支援するパッケージ作成支援装置であって、
前記パッケージの形状に応じて、前記パッケージの元となる版下原稿の形状を決定し、そして、前記版下原稿の形状に対応した領域を表示画面に表示させるデータを作成する、領域表示データ作成部と、
前記商品の名称を含むタイトル情報を、前記領域内に表示させるデータを作成する、タイトル情報データ作成部と、
前記商品の種類毎に登録された、前記パッケージへの記載が必須となる必須事項のうちの、前記パッケージが作成される商品の種類に対応している必須事項を、前記領域内に表示させるデータを作成する、必須事項データ作成部と、
前記タイトル情報及び前記必須事項が表示された前記領域を特定するデータを、前記版下原稿として出力するデータ出力部と、を備えていることを特徴とするパッケージ作成支援装置。
【請求項２】
前記パッケージの作成を行う作成者からの情報の入力を受け付ける入力受付部を更に備え、
前記作成者からの情報は、前記作成者が指示した、前記パッケージの形状、前記タイトル情報、及び前記パッケージが作成される商品の種類を含む、請求項１に記載のパッケージ作成支援装置。
【請求項３】
前記データ出力部が出力した前記版下原稿を蓄積するデータ蓄積部を更に備え、
前記作成者によって、前記入力受付部を介して、蓄積されている前記版下原稿が指定された場合に、前記領域表示データ作成部、前記タイトル情報データ作成部、及び前記必須事項データ作成部が、指定された前記版下原稿が前記表示画面に表示されるように、それぞれデータの作成を行う、請求項２に記載のパッケージ作成支援装置。
【請求項４】
前記タイトル情報データ作成部が、前記作成者によって、前記入力受付部を介して、前記作業領域に表示されている前記タイトル情報の変更が指示された場合に、変更後のタイトル情報を前記領域内に表示させるデータを作成し、
前記必須事項データ作成部が、前記作成者によって、前記入力受付部を介して、前記作業領域に表示されている前記必須事項の変更が指示された場合に、変更後の必須事項を前記領域に表示させるデータを作成する、請求項２または３に記載のパッケージ作成支援装置。
【請求項５】
商品のパッケージの作成を支援するための方法であって、
（ａ）前記パッケージの形状に応じて、前記パッケージの元となる版下原稿の形状を決定し、そして、前記版下原稿の形状に対応した領域を表示画面に表示させるデータを作成する、ステップと、
（ｂ）前記商品の名称を含むタイトル情報を、前記領域内に表示させるデータを作成する、ステップと、
（ｃ）前記商品の種類毎に登録された、前記パッケージへの記載が必須となる必須事項のうちの、前記パッケージが作成される商品の種類に対応している必須事項を、前記領域内に表示させるデータを作成する、ステップと、
（ｄ）前記タイトル情報及び前記必須事項が表示された前記領域を特定するデータを、前記版下原稿として出力する、ステップと、を有することを特徴とするパッケージ作成支援方法。
【請求項６】
（ｅ）前記パッケージの作成を行う作成者が指示した、前記パッケージの形状、前記タイトル情報、及び前記前記パッケージが作成される商品の種類を含む、前記作成者からの情
報の入力を受け付ける、ステップを更に有する、請求項５に記載のパッケージ作成支援方法。
【請求項７】
（ｆ）前記（ｄ）のステップで出力した前記版下原稿を蓄積する、ステップと、
（ｇ）前記作成者が、蓄積されている前記版下原稿を指定した場合に、指定された前記版下原稿を前記表示画面に表示させる、ステップと、
を更に有する、請求項６に記載のパッケージ作成支援方法。
【請求項８】
（ｈ）前記作成者が、前記領域に表示されている前記タイトル情報の変更を指示した場合に、変更後のタイトル情報を前記領域に表示する、ステップと、
（ｉ）前記作成者が、前記領域に表示されている前記必須事項の変更を指示した場合に、変更後の必須事項を前記領域に表示する、ステップと、
を更に有する、請求項６または７に記載のパッケージ作成支援方法。
【請求項９】
商品のパッケージの作成の支援をコンピュータによって行うためのプログラムであって、
前記コンピュータに、
（ａ）前記パッケージの形状に応じて、前記パッケージの元となる版下原稿の形状を決定し、そして、前記版下原稿の形状に対応した領域を表示画面に表示させるデータを作成する、ステップと、
（ｂ）前記商品の名称を含むタイトル情報を、前記領域内に表示させるデータを作成する、ステップと、
（ｃ）前記商品の種類毎に登録された、前記パッケージへの記載が必須となる必須事項のうちの、前記パッケージが作成される商品の種類に対応している必須事項を、前記領域内に表示させるデータを作成する、ステップと、
（ｄ）前記タイトル情報及び前記必須事項が表示された前記領域を特定するデータを、前記版下原稿として出力する、ステップと、を実行させることを特徴とするプログラム。
【請求項１０】
（ｅ）前記パッケージの作成を行う作成者が指示した、前記パッケージの形状、前記タイトル情報、及び前記前記パッケージが作成される商品の種類を含む、前記作成者からの情報の入力を受け付ける、ステップを更に前記コンピュータに実行させる、請求項９に記載のプログラム。
【請求項１１】
（ｆ）前記（ｄ）のステップで出力した前記版下原稿を蓄積する、ステップと、
（ｇ）前記作成者が、蓄積されている前記版下原稿を指定した場合に、指定された前記版下原稿を前記表示画面に表示させる、ステップと、
を更に前記コンピュータに実行させる、請求項１０に記載のプログラム。
【請求項１２】
（ｈ）前記作成者が、前記領域に表示されている前記タイトル情報の変更を指示した場合に、変更後のタイトル情報を前記領域に表示する、ステップと、
（ｉ）前記作成者が、前記領域に表示されている前記必須事項の変更を指示した場合に、変更後の必須事項を前記領域に表示する、ステップと、
を更に前記コンピュータに実行させる、請求項１０または１１に記載のプログラム。
【発明の詳細な説明】
【技術分野】
【０００１】
本発明は、商品のパッケージを作成する際に支援を行うための、パッケージ作成支援装置、パッケージ作成支援方法、及びこれらを実現するためのプログラムに関する。
【背景技術】
【０００２】
一般に、化粧品、薬品、飲料品、食品等のパッケージには、成分、内容量、メーカー名、注意書等の情報が、ラベル又は印刷によって表示されている。このような情報が表示されたパッケージの作成は、先ず、版下原稿の作成を行い、次に、版下原稿に基づいて、実際のパッケージとなるデザインを作成することによって行われる。
【０００３】
このようなパッケージの作成工程においては、特に、版下原稿の作成が重要となる。これは、版下原稿の作成段階において、パッケージに表示すべき法定の事項、例えば、成分や注意書等が漏れなく記載されているかどうかのチェックが行われるからである。また、このような法定事項の記載漏れのチェックは、パッケージ以外にも、例えば、薬品を含む化学物質の取引で利用される製品安全データシートでも行われており、重要な作業となっている。
【０００４】
但し、法定事項の記載漏れのチェックは、パッケージの作成者にとっては、大きな負担となる作業である。このため、従来から、作成者におけるチェックの負担を軽減するため、種々の支援システムが開発されている（例えば、特許文献１〜３参照。）。
【０００５】
具体的には、特許文献１は、作成者が、予め設定されたテーブルから、加工食品に使用される原材料及び添加物を選択し、これらを構成量の順に並び替えるだけで、加工食品の栄養成分が印字されたラベルを作成する技術を開示している。また、特許文献２及び３は、作成者が、化学製品を構成する原料の配合割合を入力するだけで、この化学製品の成分含有率を算出し、法定の製品安全データシートを作成する技術を開示している。
【０００６】
また、特許文献１〜３に開示の技術は、上述した版下原稿の作成にも利用できると考えられ、この場合は、記載漏れの発生が抑制できると予想される。また、これにより、版下原稿の作成における作成者の労力の軽減も予想される。
【先行技術文献】
【特許文献】
【０００７】
【特許文献１】特開２００４−３３０４２５号公報
【特許文献２】特開２００４−０３８６７４号公報
【特許文献３】特開２００６−０３９６１８号公報
【発明の概要】
【発明が解決しようとする課題】
【０００８】
ところで、商品のパッケージの場合は、法定の事項に加え、製品名やブランド名も表示する必要があるため、版下原稿はこれらをも考慮して作成する必要がある。また、パッケージは、加工食品に貼付するラベルや製品安全データシートのような平面状でない場合もあり、版下原稿の作成においてはパッケージの形状も考慮する必要がある。
【０００９】
しかしながら、上記特許文献１〜３に開示された技術において、法定の事項以外の事項のレイアウトや、表示される場所の形状が考慮されることはない。このため、上記の特許文献１〜３に開示された技術を、単に版下原稿の作成に適用しただけでは、版下原稿の作
成者の労力を軽減することは困難である。
【００１０】
本発明の目的は、上記問題を解決し、商品のパッケージの作成において、その形状を考慮した支援を行い、作成者におけるパッケージ作成の労力を軽減し得る、パッケージ作成支援装置、パッケージ作成支援方法、及びプログラムを提供することにある。
【課題を解決するための手段】
【００１１】
上記目的を達成するため、本発明におけるパッケージ作成支援装置は、商品のパッケージの作成を支援するパッケージ作成支援装置であって、
前記パッケージの形状に応じて、前記パッケージの元となる版下原稿の形状を決定し、そして、前記版下原稿の形状に対応した領域を表示画面に表示させるデータを作成する、領域表示データ作成部と、
前記商品の名称を含むタイトル情報を、前記領域内に表示させるデータを作成する、タイトル情報データ作成部と、
前記商品の種類毎に登録された、前記パッケージへの記載が必須となる必須事項のうちの、前記パッケージが作成される商品の種類に対応している必須事項を、前記領域内に表示させるデータを作成する、必須事項データ作成部と、
前記タイトル情報及び前記必須事項が表示された前記領域を特定するデータを、前記版下原稿として出力するデータ出力部と、を備えていることを特徴とする。
【００１２】
また、上記目的を達成するため、本発明におけるパッケージ作成支援方法は、商品のパッケージの作成を支援するための方法であって、
（ａ）前記パッケージの形状に応じて、前記パッケージの元となる版下原稿の形状を決定し、そして、前記版下原稿の形状に対応した領域を表示画面に表示させるデータを作成する、ステップと、
（ｂ）前記商品の名称を含むタイトル情報を、前記領域内に表示させるデータを作成する、ステップと、
（ｃ）前記商品の種類毎に登録された、前記パッケージへの記載が必須となる必須事項のうちの、前記パッケージが作成される商品の種類に対応している必須事項を、前記領域内に表示させるデータを作成する、ステップと、
（ｄ）前記タイトル情報及び前記必須事項が表示された前記領域を特定するデータを、前記版下原稿として出力する、ステップと、を有することを特徴とする。
【００１３】
更に、上記目的を達成するため、本発明におけるプログラムは、商品のパッケージの作成の支援をコンピュータによって行うためのプログラムであって、
前記コンピュータに、
（ａ）前記パッケージの形状に応じて、前記パッケージの元となる版下原稿の形状を決定し、そして、前記版下原稿の形状に対応した領域を表示画面に表示させるデータを作成する、ステップと、
（ｂ）前記商品の名称を含むタイトル情報を、前記領域内に表示させるデータを作成する、ステップと、
（ｃ）前記商品の種類毎に登録された、前記パッケージへの記載が必須となる必須事項のうちの、前記パッケージが作成される商品の種類に対応している必須事項を、前記領域内に表示させるデータを作成する、ステップと、
（ｄ）前記タイトル情報及び前記必須事項が表示された前記領域を特定するデータを、前記版下原稿として出力する、ステップと、を実行させることを特徴とする。
【発明の効果】
【００１４】
以上の特徴により、本発明における、パッケージ作成支援装置、パッケージ作成支援方法、及びプログラムによれば、商品のパッケージの作成において、その形状を考慮した支
援を行い、作成者におけるパッケージ作成の労力を軽減できる。
【図面の簡単な説明】
【００１５】
【図１】図１は、本発明の実施の形態におけるパッケージ作成支援装置の構成を示すブロック図である。
【図２】図２は、図１に示すパッケージ作成支援装置が用いるリストの一例を示す図である。
【図３】図３は、図１に示すパッケージ作成支援装置の表示画面に表示されるリスト選択画面を示す図である。
【図４】図４は、図１に示すパッケージ作成支援装置の表示画面に表示される版下原稿の一例を示す図である。
【図５】図５は、図１に示すパッケージ作成支援装置の表示画面に表示される過去の版下原稿の選択画面を示す図である。
【図６】図６は、図１に示すパッケージ作成支援装置の表示画面に表示される過去の版下原稿の一例を示す図である。
【図７】図７は、図１に示すパッケージ作成支援装置によって新たな版下原稿を作成する際の動作を示すフロー図である。
【図８】図８は、図１に示すパッケージ作成支援装置によって過去の版下原稿を編集する際の動作を示すフロー図である。
【発明を実施するための形態】
【００１６】
（実施の形態）
以下、本発明の実施の形態における、パッケージ作成支援装置、パッケージ作成支援方法、及びプログラムについて、図１〜図８を参照しながら説明する。最初に、本発明の実施の形態におけるパッケージ作成支援装置の構成について図１を用いて説明する。図１は、本発明の実施の形態におけるパッケージ作成支援装置の構成を示すブロック図である。
【００１７】
図１に示すパッケージ作成支援装置１は、商品のパッケージの作成、具体的には、パッケージに貼付されるラベルのデザイン及びパッケージ自体のデザインの作成を支援する装置である。パッケージ作成支援装置１は、パッケージ（パッケージに貼付されるラベルを含む）の元となる版下原稿を作成するに用いられる。
【００１８】
図１に示すように、パッケージ作成支援装置１は、版下原稿を表示装置１１の表示画面１９に表示させるためのデータを作成するデータ作成部６と、作成された版下原稿１２を出力するデータ出力部８とを備えている。また、データ作成部６は、領域データ作成部３と、タイトル情報データ作成部４と、必須事項データ作成部５とを備えている。
【００１９】
領域データ作成部３は、商品のパッケージの形状に応じて、パッケージの元となる版下原稿の形状を決定する。また、領域データ作成部３は、決定した版下原稿の形状に対応した領域（図４参照）を表示装置１１の表示画面１９に表示させるデータ（領域データ）を作成する。
【００２０】
タイトル情報データ作成部４は、商品の名称を含むタイトル情報（図４参照）を、表示画面１９の領域内に表示させるデータ（タイトル情報データ）を作成する。必須事項データ作成部５は、パッケージが作成される商品の種類に対応する必須事項を表示画面１９の領域内に表示させるデータ（必須事項データ）を作成する。
【００２１】
また、必須事項は、商品のパッケージへの記載が必須となる事項、例えば、法定の成分表示、注意事項等であり、商品の種類毎に予め登録されている。そして、パッケージが作成される商品の種類に対応する必須事項は、登録された必須事項の中から選択される。更
に、データ出力部８は、タイトル情報及び必須事項が表示された領域を特定するデータを、版下原稿として出力する。
【００２２】
このような構成により、パッケージ作成支援装置１では、表示画面１９上に、商品のパッケージの形状に対応した領域が表示され、作成者は、商品のパッケージの形状を考慮しながら、商品のタイトルや必須事項をレイアウトすることができる。よって、パッケージ作成支援装置１によれば、版下原稿商品のパッケージの作成において、その形状を考慮した支援が可能となる。また、必須事項は、予め登録された複数の必須事項の中から選択されるので、必須事項の記載漏れも抑制できる。これらの結果、作成者におけるパッケージ作成の労力を軽減できる。
【００２３】
ここで、本実施の形態１におけるパッケージ作成支援装置１について、図１に加え、図２〜図６を用いて更に具体的に説明する。図１に示すように、本実施の形態１では、パッケージ作成支援装置１は、上述した構成に加え、入力受付部２と、表示画面作成部７と、リスト記憶部９と、データ蓄積部１０とを備えている。また、パッケージ作成支援装置１には、液晶表示装置等の表示装置１１が接続されている。
【００２４】
このうち、リスト記憶部９は、商品の種類毎に複数の必須事項を登録しているリスト（図２参照）を記憶している。図２は、図１に示すパッケージ作成支援装置が用いるリストの一例を示す図である。図２に示すように、本実施の形態では、リストは、商品の種類毎に作成されたテンプレートファイル（format 1 ,format 2, ・・・）で構成されている。各テンプレートファイルは、必須事項を表すテキストデータを含んでいる。
【００２５】
また、本実施の形態では、各テンプレートファイルは、商品のパッケージの形状に関する情報、具体的には、パッケージの形状に対応した領域の形状（図４）を特定する形状データも含んでいる。各テンプレートファイルは、テキストデータと形状データとを含むファイルである。
【００２６】
入力受付部２は、作成者からの情報の入力を受け付けている。作成者からの情報は、作成者が指示した、パッケージの形状、タイトル情報、及びパッケージが作成される商品の種類を含み、これらは、領域データ作成部３、タイトル情報データ作成部４、および必須事項データ作成部５それぞれに送られる。また、本実施の形態では、後述するように、作成者からの情報には、作成者が指定する過去の版下原稿も含まれる。
【００２７】
具体的には、本実施の形態では、図３に示すように、作成者は、入力受付部２を介して、リストに含まれるテンプレートファイルを選択する。選択されたテンプレートファイルは、データ作成部６に入力される。図３は、図１に示すパッケージ作成支援装置の表示画面に表示されるリスト選択画面を示す図である。図３において、１３は、表示画面１９に表示されるリスト選択画面を示している。
【００２８】
そして、本実施の形態１では、領域データ作成部３は、選択されたテンプレートファイルに含まれる形状データを取り出して版下原稿の形状を決定し、決定された形状に対応する領域表示データを作成する。更に、領域データ作成部３は、領域表示データを表示画面作成部７に送る。
【００２９】
また、必須事項データ作成部５は、選択された電子ファイルに含まれる必須事項を表示画面１９上の領域内に表示するため、必須事項の文字列、配置、及び大きさ等の情報を含む必須事項データを作成し、これを表示画面作成部７に送る。タイトル情報データ作成部４は、入力受付部２から入力されたタイトル情報に基づき、タイトルを表す文字列、配置、及び大きさ等の情報を含むタイトル情報データを作成し、これを表示画面作成部７に送
る。
【００３０】
表示画面作成部７は、送られてきた、領域表示データ、タイトル情報データ、及び必須事項データを用いて、表示画面１９上に領域、タイトル情報、及び必須事項を表示させる画像データを作成する。作成された画像データは、表示装置１１に出力される。この結果、図４に示すように、表示装置１１の表示画面１９には、領域１４〜１６が表示され、更に、領域１４〜１６内にはタイトル情報１７と必須事項１８とが表示される。そして、タイトル情報１７及び必須項目１８が表示された領域１４〜１６を特定するデータが、版下原稿となる。図４は、図１に示すパッケージ作成支援装置の表示画面に表示される版下原稿の一例を示す図である。
【００３１】
なお、図４の例では、領域として、パッケージに貼付されるラベル用の領域と、パッケージに直接印刷される印刷用の領域とが設定されている。具体的には、図４に示された領域１４〜１６のうち、領域１４及び１５は、パッケージに貼付されるラベル用の領域であり、領域１６は、パッケージに直接印刷される情報用の領域である。
【００３２】
また、タイトル情報１７及び必須項目１８が表示された領域１４〜１６を特定するデータ（版下原稿）は、上述したようにデータ出力部８によって外部に出力され、実際のパッケージの作成に利用される。更に、本実施の形態では、データ出力部８は、版下原稿を、データ蓄積部１０にも出力する。データ蓄積部１０は、データ出力部８が出力した版下原稿を蓄積する。このように、本実施の形態では、作成された版下原稿は蓄積され、蓄積された過去の版下原稿を用いた新たな版下原稿の作成が可能となっている。
【００３３】
ここで、過去の版下原稿を用いた新たな版下原稿の作成について説明する。本実施の形態では、図５に示すように、作成者は、入力受付部１を介して、データ蓄積部１０に蓄積されている過去の版下原稿を選択することができる。図５は、図１に示すパッケージ作成支援装置の表示画面に表示される過去の版下原稿の選択画面を示す図である。図５において、２０は、表示画面１９に表示される過去の版下原稿の選択画面を示している。
【００３４】
図５に示すように、作成者は、過去の版下原稿の選択画面２０から、希望する版下原稿の履歴ファイル（hanshita20090304,・・・）を選択する。選択された履歴ファイルは、データ作成部６に入力される。これにより、領域データ作成部３、タイトル情報データ作成部４、及び必須事項データ作成部５は、指定された版下原稿が表示画面１９に表示されるように、それぞれデータの作成を行う。
【００３５】
そして、この場合も、領域データ作成部３、タイトル情報データ作成部４、及び必須事項データ作成部５によって作成されたデータは、表示画面作成部７に送られ、表示画面作成部７によって画像データが作成される。この結果、図６に示すように、作成者が選択した過去の版下原稿が表示画面１９に表示される。図６は、図１に示すパッケージ作成支援装置の表示画面に表示される過去の版下原稿の一例を示す図である。
【００３６】
また、過去の版下原稿が表示画面１９に表示されると、作成者による、過去の版下原稿の変更が可能となる。具体的には、作成者によって、領域１４〜１６に表示されているタイトル情報１７の変更が指示されると、タイトル情報データ作成部４は、変更後のタイトル情報１７を領域１４〜１６内に表示させるデータを作成する。また、作成者によって、領域１４〜１６に表示されている必須事項１８の変更が指示されると、必須事項データ作成部５は、変更後の必須事項１８を領域１４〜１６に表示させるデータを作成する。これらのデータは、表示画面作成部７に送られ、その後、表示画面１９には、変更後の版下原稿が表示される。
【００３７】
次に、本発明の実施の形態におけるパッケージ作成支援装置１の動作について図７及び図８を用いて説明する。図７は、図１に示すパッケージ作成支援装置によって新たな版下原稿を作成する際の動作を示すフロー図である。図８は、図１に示すパッケージ作成支援装置によって過去の版下原稿を編集する際の動作を示すフロー図である。
【００３８】
なお、本実施の形態においては、パッケージ作成支援装置１を動作させることにより、本実施の形態におけるパッケージ作成支援方法を実施することができる。このため、パッケージ作成支援方法の説明は、以下のパッケージ作成支援装置１の動作の説明に代える。また、以下の説明においては、適宜、図１〜図６を参酌する。
【００３９】
先ず、過去の版下原稿を用いないで新たな版下原稿を作成する場合について説明する。図７に示すように、最初に、作成者が、リスト選択画面（図３参照）を介して、リスト記憶部９に記憶されているリストからテンプレートファイルを選択すると、入力受付部１により、テンプレートファイルの選択が受け付けられる（ステップＡ１）。これにより、選択されたテンプレートファイルを特定する情報がデータ作成部６に入力される。
【００４０】
次に、データ作成部６により、選択されたテンプレートファイルが読み出される。そして、領域データ作成部３により、テンプレートファイルで特定される版下原稿の形状に対応した領域表示データが作成される。更に、必須事項データ作成部５により、テンプレートファイルから必須事項データが作成される。そして、これらのデータに基づいて、表示画面作成部７により、画像データが作成される。これにより、表示画面１９上に領域１４〜１６が表示され、領域１４〜１６内に必須事項１８が表示される（ステップＡ２）。
【００４１】
次に、作成者が、タイトル情報として、商品のタイトル、サブタイトル、宣伝文句等を入力すると、入力受付部１により、これらのテキストデータの入力が受け付けられる（ステップＡ３）。受け付けられたテキストデータは、タイトル情報データ作成部４に入力される。
【００４２】
次に、タイトル情報データ作成部４により、作成者の指定した位置に作成者が求めたテキストを表示するタイトル情報データが作成される。表示画面作成部７は、タイトル情報データに基づき、タイトル情報１７を表示する画像データを作成し、表示画面１９上の領域１４〜１６内にタイトル情報１７を表示させる（ステップＡ４）。
【００４３】
その後、データ出力部８により、タイトル情報１７及び必須項目１８が表示された領域１４〜１６を特定するデータ（版下原稿）が、外部に出力される（ステップＡ５）。また、版下原稿は、データ蓄積部１０にも出力され、過去の版下原稿として蓄積される。
【００４４】
続いて、過去の版下原稿を用いて新たな版下原稿を作成する場合について説明する。図８に示すように、最初に、作成者が、過去の版下原稿の選択画面（図５参照）を介して、データ蓄積部１０に蓄積されている過去の版下原稿の中から、特定の版下原稿を選択すると、入力受付部１により、履歴ファイルの選択が受け付けられる（ステップＢ１）。これにより、選択された履歴ファイルを特定する情報が、データ作成部６に入力される。
【００４５】
次に、データ作成部６によって、選択された履歴ファイルが読み出される。そして、領域データ作成部３、タイトル情報データ作成部４、及び必須事項データ作成部５により、選択された版下原稿が表示画面１９に表示されるようにデータの作成が行われる。更に、作成されたデータは、表示画面作成部７に送られ、表示画面作成部７によって画像データが作成される。これにより、表示画面１９上に過去の版下原稿が表示される（ステップＢ２）。
【００４６】
次に、作成者から、タイトル情報及び必須事項のいずれか又は両方の変更が入力されると、入力受付部１によりデータの変更が受け付けられる（ステップＢ３）。そして、タイトル情報１７の変更が指示されると、タイトル情報データ作成部４は、変更後のタイトル情報１７を領域１４〜１６内に表示させるデータを作成する。また、必須事項１８の変更が指示されると、必須事項データ作成部５は、変更後の必須事項１８を領域１４〜１６に表示させるデータを作成する。
【００４７】
次に、表示画面作成部７により、新たに作成されたデータに対応する新たな画像データが作成される。そして、新たな画像データが表示装置１１に入力されると、表示画面１９に変更が反映される（ステップＢ４）。これにより、過去の版下原稿は新たな版下原稿となる。
【００４８】
その後、データ出力部８により、新たな版下原稿が外部に出力される（ステップＢ５）。また、この版下原稿も、データ蓄積部１０にも出力され、過去の版下原稿として蓄積される。
【００４９】
以上のように、本実施の形態によれば、作成者は、商品のパッケージの形状に煩わされることなく、簡単に、商品のタイトルや必須事項をレイアウトすることができる。また、作成者は、ファイルを選択するだけで、必須事項の記載漏れを抑制することもできる。本実施の形態を用いることで、作成者がパッケージを作成する際の労力が軽減される。
【００５０】
また、本発明の実施の形態におけるプログラムは、コンピュータに、図７に示すステップＡ１〜Ａ５、図８に示すＢ１〜Ｂ５を実行させるプログラムであれば良い。このプログラムをコンピュータにインストールし、実行することによって、パッケージ作成支援装置１及びパッケージ作成支援方法を実現することができる。
【００５１】
この場合、コンピュータのＣＰＵ（central processing unit）は、入力受付部２、領域データ作成部３、タイトル情報データ作成部４、必須事項データ作成部５、表示画面作成部７、データ出力部８として機能し、処理を行なう。また、リスト記憶部９及びデータ蓄積部１０は、コンピュータに備えられたハードディスク等の記憶装置によって実現できる。なお、この場合のコンピュータは、プログラムがインストールされるコンピュータとは別のコンピュータであっても良い。
【産業上の利用可能性】
【００５２】
以上のように、本発明は、商品のパッケージの作成を行う場合に有用である。本発明によれば、商品のパッケージの作成において、その形状を考慮した支援を行うことができ、作成者におけるパッケージ作成際の労力が軽減される。
【符号の説明】
【００５３】
１  パッケージ作成支援装置
２  入力受付部
３  領域データ作成部
４  タイトル情報データ作成部
５  必須事項データ作成部
６  データ作成部
７  表示画面作成部
８  データ出力部
９  リスト記憶部
１０  データ蓄積部
１１  表示装置
１２  版下原稿
１３  リスト選択画面
１４、１５、１６  領域
１７  タイトル情報
１８  必須事項
１９  表示画面
２０  過去の版下原稿の選択画面
【図１】
2010266924.tif 000003
【図２】
2010266924.tif 000004
【図３】
2010266924.tif 000005
【図４】
2010266924.tif 000006
【図５】
2010266924.tif 000007
【図６】
2010266924.tif 000008
【図７】
2010266924.tif 000009
【図８】
2010266924.tif 000010